(57)【要約】【課題】握力の弱い高齢者や身障者が階段や傾斜面を登り下りする際に、安全に且つ容易に登り下りすることができる手摺りを提案する。【解決手段】階段や傾斜路に沿う壁面Ｗに、略縦方向に向く所定寸法の縦手摺り１が階段等の傾斜方向に一定間隔に取り付けられ、これら縦手摺り１を横断するようにして傾斜方向に延びる横手摺り２が取り付けられ、該横手摺り２を挟んでこれら縦手摺り１におけるその下部側を登り用縦手摺り部３となし、その上部側を下り用縦手摺り部４としてなる。【選択図】　　　　図１
2004092245.tif 000002
【特許請求の範囲】
【請求項１】
階段や傾斜路に沿う少なくとも片側の壁面に、略縦方向に向く所定寸法の縦手摺りが階段等の傾斜方向に一定間隔に取り付けられ、これら縦手摺りを横断するようにして傾斜方向に延びる横手摺りが取り付けられ、該横手摺りを挟んでこれら縦手摺りにおけるその下部側を登り用縦手摺り部となし、その上部側を下り用縦手摺り部としてなる手摺り。
【請求項２】
横手摺りが縦手摺りよりも壁面から離れた位置に配置されてなる請求項１に記載の手摺り。
【請求項３】
横手摺りが縦手摺りよりも壁面から離れた位置にあって縦手摺りと横手摺りとが略接触状態に配置されてなる請求項１に記載の手摺り。
【請求項４】
縦手摺りが階段の段毎に設けられてなる請求項１〜３の何れかに記載の手摺り。
【請求項５】
横手摺りがブラケットを介して縦手摺りに取り付けられてなる請求項１〜４の何れかに記載の手摺り。
【請求項６】
登り用縦手摺り部は階段踏み面に略垂直に配置されてなる請求項１〜５の何れかに記載の手摺り。
【請求項７】
下り用縦手摺り部は横手摺りに対し略垂直に配置されてなる請求項１〜６の何れかに記載の手摺り。
【発明の詳細な説明】
【０００１】
【発明の属する技術分野】
本発明は、階段や傾斜路の手摺りに関するもので、特に高齢者や身障者などが掴み易く、安全に登り下りできるようにした手摺りに関する。
【０００２】
【従来の技術】
階段には、歩行者が登り下り時に転落したり、足を踏み外したりして転倒するのを防止するために、手摺りが取り付けられる。そして、その手摺りは、通常、階段の勾配と同じ勾配に傾斜した横方向に延びる横手摺りとなっている。
【０００３】
しかし、単に階段の勾配と同じ勾配に傾斜した横手摺りでは、該横手摺りを掴み難く、力も入れ難く、特に握力の弱い高齢者や身障者の場合、階段登り下り時に手摺りから手を滑らせて転倒したり、転がり落ちる危険性がある。また、屋外の階段にあっては、雨などにより手摺りが濡れている場合には、更に滑り易く、階段からの落下事故発生の原因となっている。
【０００４】
そこで、特許文献１〜８に示すように、縦方向に所定寸法の縦手摺りを階段等にその登り方向に適当間隔に配設し、これらの縦手摺りを順次掴んで階段を登ることによって高齢者等は比較的に容易に登ることができる発明が提案されている。
【０００５】
【特許文献１】
特開昭６１ー２９４０５９号公報
【特許文献２】
特開平４ー４７０６３号公報
【特許文献３】
特開平５ー３３４４５号公報
【特許文献４】
特開平７ー１３９１１６号公報
【特許文献５】
特開平７ー２６９０５６号公報
【特許文献６】
特開２０００ー６４５５０号公報
【特許文献７】
実開昭５７ー１４０５５１号公報
【特許文献８】
実開昭平７ー１５９２６号公報
【０００６】
【発明が解決しようとする課題】
しかし、上述のように単に縦手摺りを設けるだけでは、未だ握力の弱い高齢者や身障者の場合、階段の登り下り、特に下り時に手を滑らせて転倒したり、転がり落ちる危険性がある。本発明は、これらの従来技術の内在する難点を解消すること課題とする。
【０００７】
【課題を解決するための手段】
請求項１に係る発明の手摺りは、階段や傾斜路に沿う少なくとも片側の壁面Ｗ、略縦方向に向く所定寸法の縦手摺り１が階段等の傾斜方向に一定間隔に取り付けられ、これら縦手摺り１を横断するようにして傾斜方向に延びる横手摺り２が取り付けられ、該横手摺り２を挟んでこれら縦手摺り１におけるその下部側を登り用縦手摺り部３となし、その上部側を下り用縦手摺り部４としてなる構成からなるものである。
【０００８】
請求項２に係る発明の手摺りは、横手摺り２が縦手摺り１よりも壁面Ｗから離れた位置に配置されてなる請求項１に記載の構成からなるものである。
【０００９】
請求項３に係る発明の手摺りは、横手摺り２が縦手摺り１よりも壁面Ｗから離れた位置にあって縦手摺り１と横手摺り２とが略接触状態に配置されてなる請求項１に記載の構成からなるものである。
【００１０】
請求項４に係る発明の手摺りは、縦手摺り１が階段Ｋの段毎に設けられてなる請求項１〜３の何れかに記載の構成からなるものである。
【００１１】
請求項５に係る発明の手摺りは、横手摺り２がブラケット５を介して縦手摺り１に取り付けられてなる請求項１〜４の何れかに記載の構成からなるもである。
【００１２】
請求項６に係る発明の手摺りは、登り用縦手摺り部３は階段踏み面Ｓに略垂直に配置されてなる請求項１〜５の何れかに記載の構成からなるものである。
【００１３】
請求項７に係る発明の手摺りは、下り用縦手摺り部４は横手摺り２に対し略垂直に配置されてなる請求項１〜６の何れかに記載の構成からなるものである。
【００１４】
【発明の実施の形態】
図１は本発明の一実施形態による手摺りを設けた階段の側面図、図２は該手摺りの要部の拡大正面図、図３は該手摺りの縦断側面図である。この手摺りは、階段Ｓに沿う壁面Ｗに、その傾斜方向に段違いに略縦方向に向く所定寸法の縦手摺り１…が一定間隔置きに取り付けられ、これら縦手摺り１…を横断するようにして傾斜方向に沿って延びる横手摺り２がブラケット５を介して取り付けられ、該横手摺り２を挟んで、これら縦手摺り１におけるその下部側、即ち縦手摺り１の下半部１ａが鉛直方向に沿う直線状に、言い換えれば階段Ｋの踏み面Ｓに対し垂直に配置されて、この下半部１ａを登り用縦手摺り部３となし、縦手摺り１における横手摺り２を挟んでその上部側、即ち縦手摺り１の上半部１ｂが階下側へ湾曲した形状をなし、言い換えれば横手摺り２に対して略垂直方向になるよう登り用縦手摺り部３の上端部から湾曲して形成され、この湾曲した上半部１ｂを下り用縦手摺り部４としてなる。
【００１５】
そして、縦手摺り１の上下端部における壁面Ｗへの固着は、図３に示すように、直角ベンド形取付部材６の一端側のフランジ部６ａを壁面Ｗにビス７で固着し、該取付部材６の他端開口部６ｂに縦手摺り１の端部を挿嵌し、この挿嵌部分でビス７止めしている。
【００１６】
また、横手摺り２は木材あるいは木材と樹脂との合成材等からなる直線状の棒体にて構成され、図２の（ロ）に示すように、縦手摺り１に対してブラケット５…を介して通路側へ突出していることから、縦手摺り１…よりも壁面Ｗから離れた位置に配置されていることになり、なお、該横手摺り２の両端部も図１に示すように直角ベンド型取付部材６によって壁面Ｗに固着されていることになる。
【００１７】
また、ブラケット５は、図４に示すように、二つのＴ型パイプ８，８と直角ベンド９とで構成されており、Ｔ型パイプ８，８の各直管部８ａをそれぞれ縦手摺り１及び横手摺り２に外嵌させてビス７止めし、両Ｔ型パイプ８，８の分岐管部８ｂ，８ｂの縮径した先端部を直角ベンド９の両端開口に挿嵌させ、これら挿嵌部分でビス７止めすることにより、縦手摺り１と横手摺り２とを連結するようになっている。そして、この際に横手摺り２の傾斜角度に合わせて直角ベンド９とこれに嵌合される縦手摺り１側のＴ型パイプ８の分岐管部８ｂと相互に周方向に回転調整することによって容易に横手摺り２の傾斜角度に合致させることができ、この合致した位置でビス７止めすればよい。
【００１８】
本発明の実施形態では、縦手摺り１に登り用縦手摺り部３と下り用縦手摺り部４とが一体に形成されているが、この実施形態に限定されることはなく、横手摺り２に長手方向に位置を変えて登り用縦手摺り部３用の手摺り材と下り用縦手摺り部４用の手摺り材とを同じ構造のブラケット５を介して横手摺り２に別々に取り付けるようにしてもよいが、本発明の実施形態のように一本の縦手摺り１に登り用縦手摺り部３と下り用縦手摺り部４とを一体に形成する方が安価に製作することができる。
【００１９】
上記構成の手摺りでは、階段Ｋの各段毎に対応して一定間隔置きに設けた縦手摺り１…と、階段Ｋの勾配に対応して傾斜配置した横手摺り２とを有するから、例えば階段Ｋを登る際には横手摺り２を掴んで身体のバランスを取る一方、該階段Ｋを下る際には縦手摺り１…の下り用縦手摺り部４を利用し、一段下る毎に次の縦手摺り１に持ち替えて身体をしっかりと支えながら歩みを進めることができる。また高齢者や身障者が階段Ｋを登る際に横手摺り２を掴んで登るのが不安であれば、各階段Ｋの段毎に設けれた縦手摺り１の登り用縦手摺り部３を掴んで順次登ることによって安全に登ることができる。
【００２０】
従って、高齢者や身障者、あるいは高いヒールの靴やサンダルを履いて足元が覚束ない女性等にとっては、階段Ｋを登り下りする際、横手摺り２では掴んで身体を支えにくい上に掴んだ手が滑り易いが、縦手摺り１…の登り用縦手摺り部３や下り用縦手摺り部４を掴んで登り下りすれば身体を支え易く、手を滑らすこともないから、安全に登り下りでき、転倒や転落の事故を回避できる。
【００２１】
しかして、足元がしっかりした特に縦手摺り１…を使う必要のない健常者は、横手摺り２に手を滑らせながら早足で階段Ｋを下りることがあるが、横手摺り２が縦手摺り１…よりも通路側へ出ているから、上記のように横手摺り２に手を滑らせながら下りる際に縦手摺り１が邪魔になることはない。
【００２２】
しかし、横手摺り２が縦手摺り１よりも通路側に必要以上に突出していると、該横手摺り２が邪魔になって縦手摺り１を掴むことに支障を来す虞れがあるから、図２の（ロ）に示すように横手摺り２と縦手摺り１との間隔Ｌはできるだけ狭い方が好ましく、例えば３〜６ｃｍがよいことが実験の結果判明している。
【００２３】
図２の（ハ）に示すように横手摺り２と縦手摺り１とが殆ど接触状態に配置してもよく、この場合には図５に示すように、ブラケット５を縦手摺り１側のＴ型パイプ８と横手摺り２側の直角ベンド９付きのＴ型パイプ８とで構成し、縦手摺り１側Ｔ型パイプ８の直管部８ａを横手摺り２側Ｔ型パイプ８の直角ベンド９の先端部９ａに外嵌させてビス７止めすることにより、縦手摺り１と横手摺り２との間隔をできるだけ狭い状態に連結することができるようになっている。
【００２４】
なお、この手摺りでは、縦手摺り１…が横手摺り２に対して上下縦方向に伸びているから、歩行者個々の身体の支え方や身長の高低等により、上半部１ｂと下半部１ａの掴み易い方を選ぶこともできる。
【００２５】
上記のように構成される手摺りの使用において、歩行者が階段Ｋを登る時は、歩行者は、階段Ｋの傾斜方向に一定間隔で配設されている縦手摺り１の登り用縦手摺り部３を順次掴みながら登ることによって、安全に階段Ｋを登ることができる。
【００２６】
この場合、各登り用縦手摺り部３が階段Ｋの踏み面Ｓに対し垂直に配置されているから、該手摺り部３を掴み易く、力を入れ易く、そして滑り難く、登り易くなる。従って、歩行者が、握力の弱い高齢者や身障者や子供であっても、掴み易く、滑り難いから、その該手摺り部３を確実にしかも力強く、しっかりと握ることができ、手を滑らせて転倒したり、転がり落ちる危険性が少なくなる。
【００２７】
尚、登り用縦手摺り部３は、この実施形態のように階段Ｋの踏み面Ｓに対し垂直に配置されるのが最も好ましいわけであるが、この垂直位置に対し若干傾いた状態、つまり略縦方向に配置されても十分効果を有するものである。
【００２８】
一方、階段Ｋを下りる時は、歩行者は、階段Ｋの傾斜方向に一定間隔で配設されている縦手摺り１の下り用縦手摺り部４を順次掴みながら下りることによって、安全に階段Ｋを下りることができる。特に階段Ｋを下りる時、歩行者は、若干前かがみ、即ち前傾姿勢になりがちであるが、各下り用縦手摺り部４が横手摺り２に対し垂直に配置されているから、そのような前傾姿勢でも該手摺り部４を掴み易く、滑り難くなり、従って子供や高齢者や身障者であっても、該手摺り部４を確実に力強く、しっかりと握ることができて、手を滑らせて転倒したり、転がり落ちる危険性が少ない。
【００２９】
また、この実施形態に示すように、登り用縦手摺り部３が低い位置にあり、下り用縦手摺り部４が高い位置にあるのは、歩行者は、登り時には脚を比較的深く折り曲げるため、必然的に手摺り部３を掴む手の位置が低くなり、また下りる時には脚を伸ばしながら下りてゆくため、手摺り部４を掴む手の位置が必然的に高くなるからである。要するに、登り用縦手摺り部３の位置を低く、下り用縦手摺り部４の位置を高く設定することによって、両手摺り部３，４を掴みながらの階段の登り下りが、自然な状態で行なえ、従って一層登り易く、下り易くなる。
【００３０】
以上の実施形態では、階段Ｋに手摺りを設置する場合について説明したが、比較的勾配のきつい傾斜路（スロープ）の場合にも本発明の手摺りを設置することができる。また実施形態では、階段Ｋや傾斜路の片側に本発明の手摺りを設置したが、もちろん階段Ｋや傾斜路の両側に設置してもよい。
【００３１】
【発明の効果】
請求項１に係る発明の手摺りによれば、階段や傾斜路に沿う少なくとも片側の壁面に、略縦方向に向く所定寸法の縦手摺りが階段等の傾斜方向に一定間隔に取り付けられ、これら縦手摺りを横断するようにして傾斜方向に向く横手摺りが取り付けられ、該横手摺りを挟んでこれら縦手摺りにおけるその下部側を登り用縦手摺り部となし、その上部側を下り用縦手摺り部としているから、歩行者は、階段などを登る時には縦手摺りの登り用縦手摺り部を順次掴みながら登り、また下りる時には下り用縦手摺部を順次掴みながら下りることによって、階段などを安全に登り下りすることができる。
【００３２】
この場合、登り用縦手摺り部及び下り用横手摺り部が略縦方向に配置されていることから、手摺りを掴み易く、力を入れ易く、しかも滑り難くなって、登り下りが容易となり、特に歩行者が握力の弱い高齢者や身障者や子供であっても、手摺りを力強く握ることができ、手を滑らせて転倒したり、転がり落ちる危険性が少ない。
【００３３】
また、縦手摺りに登り用縦手摺り部と下り用縦手摺り部とを一体に形成してなるため、安価に製作することができる。
【００３４】
一方、足元がしっかりした特に縦手摺りを使う必要のない健常者は、横手摺りに手を滑らせながら早足で階段を下りることがで、通常の手摺りとしても何ら支障なく使用することができる。
【００３５】
この際に請求項２に記載のように、横手摺りが縦手摺りよりも壁面から離れた位置に配置されることによって、横手摺りが縦手摺りよりも通路側へ出ているから、上記のように横手摺りに手を滑らせながら下りる際に縦手摺りが邪魔になることはない。
【００３６】
しかし、横手摺りが縦手摺りよりも通路側に必要以上に突出していると、該横手摺りが邪魔になって縦手摺りを掴むことに支障を来す虞れがあるから、請求項３に示すように横手摺りと縦手摺りとが略接触状態に配置されることによって、横手摺りが支障となることなく容易に縦手摺りを掴んで階段を登り下りすることができる。
【００３７】
請求項４に記載のように、縦手摺りが階段の段毎に設けられることによって、より安全に高齢者や身障者が登り用縦手摺り部や下り用縦手摺り部を掴んで登り下りすることができる。
【００３８】
請求項５に記載のように、横手摺りがブラケットを介して縦手摺りに取り付けられてなるため、横手摺りを縦手摺りに対して容易に階段通路側に堅固に取り付けることができる。
【００３９】
請求項６に記載のように、登り用縦手摺り部は階段踏み面に略垂直に配置されることによって、その手摺りが一層掴み易く、滑り難くなって、一層登り易く且つ安全となる。
【００４０】
請求項７に記載のように、下り用縦手摺り部は横手摺りに対し略垂直に配置されてれば、下り時の前かがみ姿勢でその手摺りが一層掴み易く、滑り難くなり、一層下り易く且つ安全となる。
【図面の簡単な説明】
【図１】図１は本発明の一実施形態による手摺りを設けた階段の正面図である。
【図２】（イ）は手摺りの要部を示す拡大正面図である。（ロ）は同側面図である。（ハ）は同他の実施形態の側面図である。
【図３】縦手摺りの取付状態を示す要部拡大図である。
【図４】縦手摺りと横手摺りとの一実施形態の取付状態を示す拡大図である。
【図５】縦手摺りと横手摺りとの他の実施形態の取付状態を示す拡大図である。
【符号の説明】
Ｗ　　　　　　壁面
１　　　　　　縦手摺り
２　　　　　　横手摺り
３　　　　　　登り用縦手摺り部
４　　　　　　下り用縦手摺り部
Ｋ　　　　　　階段
５　　　　　　ブラケット
【図１】
2004092245.tif 000003
【図２】
2004092245.tif 000004
【図３】
2004092245.tif 000005
【図４】
2004092245.tif 000006
【図５】
2004092245.tif 000007